(57)【要約】  【課題】    粘着テープカッターに、粘着テープの非粘着面を形成するための折り返し作業を片手で粘着テープを引き出すと同時に容易に安全に行うことのできる安価な機能を持たせる。【解決手段】    粘着テープカッター本体１１は、粘着テープロール２１を回転自在に保持するプーリー１２とテープ切刃１３を備える。両者の間のテープ切刃附近に、テープ切刃１３と平行にやや間隔をとって並置された1番バネ１４及び２番バネ１５が、保持された粘着テープロール２１から粘着テープ２２を引き出しテープ切刃１３に当てた場合に粘着テープ２２に水平に直交し、それらの上部は粘着テープ下面粘着面ａに接し、それらは左右両端において支持され、それらの下部の間の下面にバネ支持板１６が置かれることを特徴とする。  【選択図】    図１
2009012953.tif 000002
【特許請求の範囲】
【請求項１】
この本体（１１）は、粘着テープのロール（２１）を回転自在に保持する部分（１２）とテープ切刃部分（１３）を備え、両者の間のテープ切刃附近に、テープ切刃と平行にやや間隔をとって並置された2本の引きバネ（１４）（１５）が、保持された粘着テープロールから粘着テープ（２２）を引き出しテープ切刃に当てた場合に粘着テープに水平に直交し、それらの上部は粘着テープ下面粘着面（ａ）に接し、それらは左右両端において支持され、それらの下部の間の下面に板（１６）が置かれることを特徴とする粘着テープカッター。
【発明の詳細な説明】
【技術分野】
【０００１】
本発明は、粘着テープを粘着テープロールから引き出す動作と同時に該テープの先端の粘着面同士を合わせて折り返すことで非粘着部を形成することができる粘着テープカッターに関するものである。
【背景技術】
【０００２】
従来粘着テープカッターは、セロハン、紙、合成樹脂等を素材とする長尺テープに粘着材を塗布しロール加工した粘着テープを回転自在に支持する部分、引き出した粘着テープを保持し切断する部分で構成される。また、従来粘着テープカッターは、引き出された粘着テープを、次回引き出すための摘み代部分として所定の長さに残すため、粘着テープロールから適当な距離を取って、テープ保持板をテープ切刃に近く平行する位置に取り付けている。
【０００３】
従来は粘着テープカッターより切り出した粘着テープを貼着した後、該テープが不要となり剥離したい場合に、該テープの粘着力と強度等の関係によっては貼着した後の該粘着テープの剥離が困難である場合が多く、この解決策の１つとして粘着テープの将来の剥離を前提とする場合は、粘着テープを希望する長さに切り出した後、両手を使い該テープの片端の粘着面同士を合わせて折り返することで非粘着部を作り、目的物に貼着することが一般的に行なわれている。
【０００４】
また、従来の粘着テープカッターは、粘着テープロールの摘み代部分の粘着面を指で摘むため指の汗や皮脂により、その部分の粘着力の低下を招くことがあった。
【０００５】
そこで、近年では粘着テープを引き出す際、先端を折り返すことで非粘着部を形成することができる粘着テープカッターが紹介されている。本願発明に関連する公知技術として次の特許文献１、２及び実用新案文献１を挙げることができる。
【０００６】
【特許文献１】特開２００６−２０６３１５号公報
【特許文献２】特開２００６−２８９５９９号公報
【特許文献３】実開平５−３２３６２号公報
【発明の開示】
【発明が解決しようとする課題】
【０００７】
特許文献１に記載された粘着テープカッターは、非粘着部を確実に作るための粘着テープの折り返しのためにテ−プブリッヂが設けてある。該部品は先端が尖った形状で上方に向かって突起しているので、使用者の手及び指を傷つける恐れがある。
【０００８】
特許文献２に記載された粘着テープカッターは、非粘着部を作るための粘着面同士の接着（折り返し）するための条件である粘着テープが上方にたわむための方法が、粘着テープの先端を保持している保持部の頂部の円弧運動のみであり、これをもって粘着テープが確実に上方にたわむことは難しいと思われる。またテープ切刃に指が触れるので安全と言い難い。
【０００９】
実用新案文献１に記載された粘着テープカッターは、本体内部に複雑な機構を設けてあるため、製造コストが高く普及の障害となる可能性がある。
【００１０】
本発明は、このような点に鑑みてなされたものである。その目的は、粘着テープロールを引き出し必要な長さに切り目的物に貼着した後の粘着テープを、剥離または再使用の目的をもって、切り出した粘着テープの片端に非粘着部を作るため、従来行なわれている粘着テープを切り出した後両手を使い粘着テープの折り返す作業を、片手だけで粘着テープを引き出すと同時に容易に迅速に安全に行うことのできる安価な装置を備えた粘着テープカッターを提供することにある。
【課題を解決するための手段】
【００１１】
この本体は、粘着テープのロールを回転自在に保持する部分とテープ切刃部分を備え、両者の間のテープ切刃附近に、テープ切刃と平行にやや間隔をとって並置された2本の引きバネが、保持された粘着テープロールから粘着テープを引き出しテープ切刃に当てた場合に粘着テープに水平に直交し、それらの上部は粘着テープ下面粘着面に接し、またそれらの左右両端において支持され、それらの下部の間の下面に板が置かれることを特徴とする。
【発明の効果】
【００１２】
以上説明したように本発明によれば、貼着後の粘着テープの剥離を容易にする目的で、粘着テープの片端に非粘着部を作るために、粘着テープを切り出した後両手作業で行なわれていた粘着テープの折り返し作業が、片手で粘着テープを引き出すと同時に容易に迅速に安全に行うことが可能となる。
【００１３】
また本発明は、粘着面に触れないで粘着テープを引き出すことから、汗や皮脂による粘着力の低下がなく粘着面に指紋が写ることがない。
【００１４】
また本発明は、構成部品が少なく、該部品は単純な構造のため安価に提供することができる。    
【００１５】
また本発明は、非粘着部を必要としない場合は、従来の粘着テープカッターとしての使用が可能である。
【発明を実施するための最良の形態】
【００１６】
以下、本発明の実施の形態を図面に基づき詳細に説明する。
【００１７】
図１は本発明の実施の形態に係る粘着テープカッターの斜視図である。図２〜図７は本発明の使用の際の一連の動作、使用者の指の動作及び粘着テープの挙動を示した略側面使用説明図である。
【００１８】
図１に示すように、本粘着テープカッター本体１１は、粘着テープロール２１を回転自在に保持する部分（プーリー１２等）とテープ切刃１３を備え、両者の間のテープ切刃１３附近に、テープ切刃１３と平行にやや間隔をとって並置された2本の引きバネ（１番バネ１４及び２番バネ１５）が、保持された粘着テープロール２１から粘着テープ２２を引き出しテープ切刃１３に当てた場合に粘着テープ２２に直交し、2本の引きバネ（１番バネ１４及び２番バネ１５）のそれぞれの上部は粘着テープ下面の粘着面ａに接し、また2本の引きバネ（１番バネ１４及び２番バネ１５）のそれぞれの下部の間の下方にバネ支持板１６が置かれ、2本の引きバネ（１番バネ１４及び２番バネ１５）のそれぞれの左右両端においてバネ支持板１６によって支持される。
【００１９】
また、従来粘着テープカッターは、引き出された粘着テープを、次回引き出すための摘み代部分として所定の長さに残すため、粘着テープロールから適当な距離を取って、テープ保持板をテープ切刃に近く平行する位置に取り付けているが、本発明においては2本の引きバネ（１番バネ１４及び２番バネ１５）が粘着テープ２２を保持する機能を兼ねている。
【００２０】
以下に図２、図３、図４、図５、図６、図７の順序で、本発明の使用の際の一連の動作、使用者の親指３１、人差し指３２の動作及び粘着テープ２２、２２′、２３の挙動を説明する。
【００２１】
図２に示すように、使用者の親指３１は粘着テープ２２を挟んで1番バネ１４の右上付近（図上）を押さえる。
【００２２】
図３に示すように、使用者の親指３１はそのままで、使用者の人差し指３２は、粘着テープ２２を挟んで２番バネ１５の左上付近（図上）を押さえる。
【００２３】
図４に示すように、使用者の親指３１と使用者の人差し指３２は粘着テープ２２を挟んだまま、指先でものを摘むように互いに接近させる。この際、1番バネ１４と２番バネ１５の間の粘着テープ２２は、それぞれのバネの伸び（変形）に連れて上方にたわみ始める。
【００２４】
粘着テープが上方にたわむ理由は、使用者の親指３１と使用者の人差し指３２が粘着テープ２２を挟んだまま指先でものを摘むように接近すると、この時1番バネ１４と２番バネ１５のそれぞれ又はどちらかが伸び変形したときは、2本の引きバネの下部の間の下面にバネ支持板１６があるため、バネが水平方向にその円柱側面がくの字状になだらかに曲る形状となるため、このようなバネの円柱側面の変形に連れて、粘着テープ２２が円柱側面に接着しているため粘着テープ２２に働く応力の作用によって、粘着テープの非粘着面の方向にたわむものと思われる。
【００２５】
図５に示すように、上方にたわみ粘着面が向かいあった粘着テープ２２を使用者の親指３１と人差し指３２をもって摘むと、粘着面同士が接着した折り返しによって非粘着部２３ができる。
【００２６】
図６に示すように、使用者の親指３１と人差し指３２をもって、非粘着部２３を摘み上げると、粘着テープ２２は1番バネ１４と２番バネ１５から剥離し、粘着テープ２２を希望する長さまで引き出す。この時、1番バネ１４と２番バネ１５は本来の形状に戻る。
【００２７】
図７に示すように、使用者は粘着テープ２２をその非粘着部２３を親指３１と人差し指３２で摘んだまま、テープ切刃１２に押し当て切断する。同時に粘着テープ２２は1番バネ１４と２番バネ１５によって保持される。
【実施例】
【００２８】
同寸法の2本の引きバネ（線径０．５ｍｍ外径５．５ｍｍ全長２６ｍｍ）を用い、テープ切刃１３と1番バネ１４との距離を１０ｍｍ、1番バネ１４と２番バネ１５の間隔を１４ｍｍとすると約１４ｍｍの粘着テープ非粘着部２３ができる。  
【図面の簡単な説明】
【００２９】
【図１】本発明の実施の形態に係る粘着テープカッターの外観斜視図である。
【図２】本発明の使用の際の一連の動作の始めの本発明の動作、使用者の指の動作及び粘着テープの挙動を示した略側面（一部断面）使用説明図である。
【図３】同じく２番目の略側面（一部断面）使用説明図である。
【図４】同じく３番目の略側面（一部断面）使用説明図である。
【図５】同じく４番目の略側面（一部断面）使用説明図である。
【図６】同じく５番目の略側面（一部断面）使用説明図である。
【図７】同じく６番目の略側面（一部断面）使用説明図である。
【符号の説明】
【００３０】
１１    粘着テープカッター本体
１２    プーリー
１３    テープ切刃
１４    1番バネ
１５    ２番バネ
１６    バネ支持板
２１    粘着テープロール
２２    粘着テープ
２２′  粘着テープ（切り出された部分）
２３    粘着テープ非粘着部（折り返し部）
３１    使用者の親指
３２    使用者の人差し指
ａ      粘着テープ粘着面
【図１】
2009012953.tif 000003
【図２】
2009012953.tif 000004
【図３】
2009012953.tif 000005
【図４】
2009012953.tif 000006
【図５】
2009012953.tif 000007
【図６】
2009012953.tif 000008
【図７】
2009012953.tif 000009